(57)【特許請求の範囲】
【請求項１】
可撓性の外管と、該外管内に挿入されている可撓性の内管とからなる排水用可撓管であって、
該外管をコルゲート形状に成形することにより、該外管の管壁に外向きに突出した外凸条を周方向に沿って設け、
該内管を略円筒状とすることにより内周面を非凹凸形状とし、かつ外周面に外向きに突出した内凸条を周方向に沿って形成し、
該内管が該外管内に挿入された状態では、該内管と該外管とを非接着状態とし、かつ該内凸条を該外凸条の内側に入り込ませ、さらに該内凸条の先端と該外凸条との間および該内凸条の側面と該外凸条との間に隙間を設けて、該内凸条の先端と該外凸条との間および該内凸条の側面と該外凸条との間に変形許容間隙を設定し、該内管が湾曲した場合に該変形許容間隙が該内凸条の変形を許容することを特徴とする排水用可撓管。
【請求項２】
該内凸条の先端部には、凹溝が該内管の周方向に沿って形成されている請求項１に記載の排水用可撓管。
【請求項３】
請求項１又は請求項２に記載の排水用可撓管の両端部に、それぞれ接続部品を接続した接続部品接続構造であって、
該排水用可撓管の両端部に、該外管の管端と該内管の管端とを重ね合わせた重合部をそれぞれ設け、
該接続部品の可撓管側端部には挟着部を設け、
該接続部品の該挟着部で該排水用可撓管の該重合部を挟着することにより該排水用可撓管の両端部に、それぞれ接続部品を接続することを特徴とする接続部品接続構造。
【請求項４】
該排水用可撓管の該内管を弾性材料で構成し、
該内管を、該内管の両端方向に引っ張られた状態で保持した請求項３記載の接続部品接続構造。
【発明の詳細な説明】
【技術分野】
【０００１】
本発明は、屋内又は屋外で用いる排水用可撓管、および該排水用可撓管に接続部品を接続した接続部品接続構造に関するものである。
【背景技術】
【０００２】
屋内又は屋外で用いる排水用可撓管は既に提供されており、例えば特許文献１には、コルゲート形状の外管と該外管内に挿入される内管とを有する二層コルゲート管が開示されている。該コルゲート管は可撓性を有するため、例えば建物の床下において曲線配管が可能である。
【０００３】
また、特許文献２には、ガス管路に適用される二層構造の管路更生管が開示されている。該管路更生管は、凸条が設けられた外管と突条が設けられた内管との内外二重壁とした管体であり、該内管と該外管とを非接着状態としつつ該外管の凸条の内面に該内管の突条先端を接当させている。
【先行技術文献】
【特許文献】
【０００４】
【特許文献１】特開２００５−２３３３７３号公報
【特許文献２】特開２００２−２５４５３６号公報
【発明の概要】
【発明が解決しようとする課題】
【０００５】
しかしながら、特許文献１に開示されている構成にあっては、内管が外管の内側に融着（接着）されているため、排水用可撓管を湾曲させた際に該内管が該外管に対して相対移動しながら湾曲できず、これにより該内管は歪んで座屈してしまうことがあった。このように外管内で内管が座屈してしまうと、該内管の内面に凹凸が形成され、該内管内を流れる排水中の異物が該凹凸部分に付着したり又は堆積したりするため、該排水の円滑な流動が阻害されてしまう。
【０００６】
ここで、特許文献２で開示されているような該内管と該外管とを非接着状態とした構成を配水用可撓管に適用し、上記のような内管の座屈を防止することが考えられる。しかし、特許文献２に開示されている管路においては、内管の突条先端が外管の内周面に接触（接当）しているため、施工時に内管が湾曲した際に該突条の移動又は変形が制限されて該内管が好適に撓まず、さらに該内管の管壁が該突条部分で座屈を起こして、排水の流動を阻害するおそれがある。
また、特許文献２に開示されている実施例においては、外管が帯素材を螺旋状に巻回して形成されているため、該外管の管端に該帯素材を重ね合わせている部位が露出し、該部位において水密性が確保しにくいという問題がある。
また、特許文献２に開示されている他の実施例は、内管の内面に凹凸が形成されているため、該凹凸によって排水の流れが阻害されてしまう。
【０００７】
そこで、本発明は、上記問題を解決することができる排水用可撓管、および該排水用可撓管に接続部品を接続する接続部品接続構造を提供することを目的とする。
【課題を解決するための手段】
【０００８】
本発明は、上記問題を解決すべく、可撓性の外管と、該外管内に挿入されている可撓性の内管とからなる排水用可撓管であって、該外管をコルゲート形状に成形することにより、該外管の管壁に外向きに突出した外凸条を周方向に沿って設け、該内管を略円筒状とすることにより内周面を非凹凸形状とし、かつ外周面に外向きに突出した内凸条を周方向に沿って形成し、該内管が該外管内に挿入された状態では、該内管と該外管とを非接着状態とし、かつ該内凸条を該外凸条の内側に入り込ませ、さらに該内凸条の先端と該外凸条との間および該内凸条の側面と該外凸条との間に隙間を設けて、該内凸条の先端と該外凸条との間および該内凸条の側面と該外凸条との間に変形許容間隙を設定し、該内管が湾曲した場合に該変形許容間隙が該内凸条の変形を許容することを特徴とする排水用可撓管を提供するものである。
【０００９】
上記発明は、内管と外管とを非接着とし、湾曲時に該内管が該外管に対して移動自在としている。さらに、該外管の外凸条の内側に該内管の内凸条を入り込ませて該内凸条の移動範囲を該外凸条の内側のみに規制し、該内管が該外管に対して過剰に移動することを防止している。また、該内凸条の先端と該外凸条との間および該内凸条の側面と該外凸条との間に隙間を形成し、該内管が湾曲した際の管壁の変形に伴う内凸条の変形を許容している。
したがって、施工時において上記の排水用可撓管を湾曲させた場合、該内管は該外管内で座屈することなく該外管に沿って好適に湾曲するため、該内管の内面に凹凸は形成されず、排水の流動が阻害されない。
【００１０】
（削除）
【００１１】
（削除）
【００１２】
また、該内凸条の先端部には、凹溝が該内管の周方向に沿って形成されていることが望ましい。
【００１３】
上記構成において、内管の湾曲時において該内凸条に対して管軸方向に沿う圧縮応力が作用した場合、該凹溝の両側部分は該凹溝に向けて互いに近づくように撓むこととなる。すなわち、該凹溝を設けることによって該内凸条の変形部位の逃げ場が形成されることとなり、該内凸条全体の歪みが低減され、該内凸条の変形が内管の座屈を招くことを防止できる。
【００１４】
また、本発明は、上記の排水用可撓管の両端部に、それぞれ接続部品を接続した接続部品接続構造であって、該排水用可撓管の両端部に、該外管の管端と該内管の管端とを重ね合わせた重合部をそれぞれ設け、該接続部品の可撓管側端部には挟着部を設け、該接続部品の該挟着部で該排水用可撓管の該重合部を挟着することにより該排水用可撓管の両端部に、それぞれ接続部品を接続することを特徴とする接続部品接続構造を提供するものである。
【００１５】
上記構成においては、簡易構造で該排水用可撓管の両端部に接続部品をそれぞれ接続することが可能となる。
【００１６】
また、上記の接続部品接続構造は、該排水用可撓管の該内管を弾性材料で構成し、該内管を、該内管の両端方向に引っ張られた状態で保持したものが望ましい。
【００１７】
上記発明において、施工時に内管が湾曲して該内管の所定部位に管軸方向に沿う圧縮応力が作用した場合、あらかじめ該内管が両端方向に引っ張られた状態で保持されていると該所定部位の圧縮応力が低減または相殺され、該内管の歪みが緩和されるため、該内管の座屈が生じにくい。
【発明の効果】
【００１８】
本発明の排水用可撓管は、湾曲させても内管が座屈しないため排水の流動が阻害されない。また、本発明の接続部品接続構造は、簡易な構造で該排水用可撓管に接続部品を接続することができる。
【図面の簡単な説明】
【００１９】
【図１】排水用可撓管の使用態様を示す説明図
【図２】排水用可撓管の縦断面図
【図３】湾曲させた排水用可撓管の縦断面図
【図４】ａ）は図３におけるα部の拡大図、ｂ）はβ部の拡大図
【図５】他の形状の内凸条を示す拡大断面図
【発明を実施するための形態】
【００２０】
本発明の実施例を添付図面に従って説明する。
図１に示すように、本発明の排水用可撓管１は、例えば建物の基礎（図示省略）内に貫通状に埋設された屈曲鞘管２０内に挿着されて使用される。このような使用状態において、該排水用可撓管１の上流端部及び下流端部には、図２に示すような接続部品１１，１１（受口部品あるいは差口部品）が接続され、さらに公知のナット部材２１によって該排水用可撓管１及び該屈曲鞘管２０が建物の外側へ突出しないように設定されている。
【００２１】
図２に示すように、該排水用可撓管１は、例えば硬質塩化ビニル材のような可撓性の外管２と、ＳＢＲ等のゴム材（弾性材料）からなる可撓性の内管３とで構成されている。
【００２２】
該外管２は、可撓性を付与すべくコルゲート形状の成形体とされ、該外管２の管壁には、外向きに突出しかつ周方向に沿う外凸条２Ａが管軸方向に沿って断続的に複数設けられている。該外管２を構成する成形体は、例えばブロー成形、射出成形、あるいは公知のコルゲーターを用いたコルゲート押出成形によって製造される。
【００２３】
一方、該外管２内に挿入される内管３は、外管２とは別に成形加工された略円筒状の成形体とされ、内周面が非凹凸形状であり、かつ外周面には、外向きに突出しかつ周方向に沿う内凸条３Ａが管軸方向に沿って断続的に複数設けられている。
さらに、該内凸条３Ａの先端部には、凹溝４が該内管３の周方向に沿って形成されている。本実施例における該凹溝４の溝深さは、図２等に示すように、内管３の外周面を基準とした該内凸条３Ａの高さと略同じ寸法に設定されている。
【００２４】
そして、該内管３を該外管２内に挿入した状態においては、該内管３と該外管２とが非接着状態とされて、該排水用可撓管１の湾曲時に該内管３が該外管２に対して移動自在とされている。さらに、図２等に示すように、該内管３に複数設けられた内凸条３Ａは、該外管２に複数設けられた該外凸条２Ａの内側に入り込んでおり、該内凸条３Ａの移動範囲が該外凸条２Ａの内側のみに規制されている。
【００２５】
さらに図４に示すように、該内凸条３Ａの周囲と該外凸条２Ａとの間には隙間が設けられており、該隙間が本発明の変形許容間隙Ｓとされている。具体的に本実施例における変形許容間隙Ｓは、内凸条３Ａの先端と外凸条２Ａとの間に設定される第一間隙Ｓ１と、内凸条３Ａの側面と外凸条２Ａとの間に設定される第二間隙Ｓ２とで構成されている。
【００２６】
次に、図２に従って、上記排水用可撓管１の両端部に接続部品１１，１１をそれぞれ接続した接続部品接続構造１０を説明する。
【００２７】
上記接続部品１１は、外筒１２と、該外筒１２に内嵌固定される内筒１３とで構成されている。該外筒１２および該内筒１３は、硬質塩化ビニル材からなる。
また、該接続部品１１における排水用可撓管側の端部には、外筒１２の内周面と内筒１３の外周面とを溝壁とする溝部が形成されており、該溝部によって本発明の挟着部１４が構成されている。
また、該外管２の管端には鍵状に加工された外係合部５が設けられ、該内管３の管端には該外係合部５に係合可能に凹凸加工された内係合部６が設けられている。さらに該内筒１３の外周面には、該内係合部６に係合可能に凹凸加工された受口係合部１５が設けられている。
【００２８】
そして、排水用可撓管１の端部においては、外係合部５と内係合部６とを係合させて該外管２の管端と該内管３の管端とを重ね合わせた重合部７が設定されている。
【００２９】
上記構成において、排水用可撓管１に接続部品１１を接続するには、該重合部７を溝形状の該挟着部１４内に圧入して内係合部６と受口係合部１５とを係合させ、該挟着部１４で該重合部７を挟着すると共に、該外管２に挿入された状態で該内管３が両端方向に引っ張られた状態で保持されるように設定する。
このような接続構造１０においては、挟着部１４に重合部７が挟着し、かつ外係合部５、内係合部６、及び受口係合部１５が互いに係合しているため、該排水用可撓管１から該接続部品１１が脱落してしまうことがない。
【００３０】
これまでに述べた構成において、排水用可撓管１が湾曲していない状態では、内管３の内凸条３Ａの周囲と外管２の外凸条２Ａとは非接触状態にある。
そして、図３に示すように該排水用可撓管１が湾曲すると、内管３と外管２とが非接着であるため該内管３が該外管２内で適宜移動しながら湾曲する。このため該内管３は、歪んで座屈してしまう、ということがない。
さらに該排水用可撓管１における圧縮される部位（図４ａ参照）および引っ張られる部位（図４ｂ参照）において、該内管３の管壁の変形と共に内凸条３Ａが外凸条２Ａ内でかかる湾曲に応じて変形する。特に、図４ａに示すように、該内凸条３Ａが管軸方向に沿って圧縮される部位では、該内凸条３Ａの凹溝４の両側の山部２３，２３が該凹溝４に向けて互いに近づくように撓む。このため、該内管３は、内凸条３Ａが形成された部位で歪んで座屈してしまう、ということがない。
さらに、該内管３は、外管２内においてあらかじめ両端方向に引っ張られた状態で保持されているため、湾曲時に該内管３の所定部位に管軸方向に沿う圧縮応力が作用しても、該圧縮応力が低減または相殺されて該内管３の歪みが緩和される。
かくして、施工時に該排水用可撓管１が湾曲しても、該内管３の内面には凹凸が形成されないし、さらに該内管３の内周面は全体に非凹凸形状であるため、該内管３内を流れる排水の流動が阻害されない。
【００３１】
なお、本発明は、上記実施例に限定されることはなく、本発明の主旨を逸脱しない範囲で適宜設計変更が可能である。
例えば、図５に示すように、内管３の内凸条３Ａには凹溝４が形成されていなくてもよく、適宜所要の寸法形状に設定できる。
また、外管２はポリエチレン（ＰＥ）など他の樹脂材料で構成してもよい。
また、内管３は弾性材料であればよく、エラストマーや他のゴム材料で構成してもよい。
また、該接続部品１１の挟着部１４において、接着剤を介して該重合部７を接着するようにしてもよい。
また、該接続部品１１の外筒１２及び内筒１３は、上記のように別体で構成してもよいし、インサート成形等によって一体で構成してもよい。
【符号の説明】
【００３２】
１          排水用可撓管
２          外管
２Ａ        外凸条
３          内管
３Ａ，３Ｂ  内凸条
４          凹溝
７          重合部
１０        接続部品接続構造
１１        接続部品
１４        挟着部
Ｓ          変形許容間隙
【図１】
0005547979.tif 000002
【図２】
0005547979.tif 000003
【図３】
0005547979.tif 000004
【図４】
0005547979.tif 000005
【図５】
0005547979.tif 000006